(57)【特許請求の範囲】
【請求項１】
光学的に連続した画像を少なくとも１以上の撮像素子をその各撮像素子の水平方向をＮ（Ｎは分割数で２以上の整数）分割して撮像し複数のアナログ電気信号に変換する撮像ステップと、
前記撮像ステップから出力された複数のアナログ信号を複数のＡ／Ｄ変換素子で複数の並列デジタル信号に変換するＡ／Ｄ変換ステップと、
前記Ａ／Ｄ変換ステップから出力された複数の並列デジタル信号を同時に並列演算する複数のデジタル演算ステップと、
前記並列演算された複数の並列デジタル信号を駆動周波数の異なる複数の並列デジタル信号に変換する並列／並列変換ステップと、
前記並列／並列変換ステップから出力された複数の並列デジタル信号を複数の直列デジタル信号に変換する複数の並列／直列変換ステップと
を設けて、高解像度動画像信号の処理を行い、前記撮像ステップから出力されたアナログ信号が前記Ａ／Ｄ変換ステップによりデジタル信号に変換されて前記デジタル演算ステップに供給されるようにしたことを特徴とした高解像度動画像信号処理方法。
【請求項２】
光学的に連続した画像を少なくとも１以上の撮像素子をその各撮像素子の水平方向をＮ（Ｎは分割数で２以上の整数）分割して撮像し複数のアナログ電気信号に変換する撮像ステップと、
前記撮像ステップから出力された複数のアナログ信号を複数のＡ／Ｄ変換素子で複数の並列デジタル信号に変換するＡ／Ｄ変換ステップと、
前記Ａ／Ｄ変換ステップから出力された複数の並列デジタル信号を同時に並列演算する複数のデジタル演算ステップと、
前記並列演算された複数の並列デジタル信号を駆動周波数の異なる複数の並列デジタル信号に変換する並列／並列変換ステップと、
前記並列／並列変換ステップから出力された複数の並列デジタル信号を複数の直列デジタル信号に変換する複数の並列／直列変換ステップと
を設けて、高解像度動画像信号の処理を行う高解像度動画像信号処理方法であって、
前記撮像ステップ、Ａ／Ｄ変換ステップ、及び複数のデジタル演算ステップの駆動周波数を、前記並列／並列変換ステップ、及び複数の並列／直列変換ステップの駆動周波数より低くしたことを特徴とする高解像度動画像信号処理方法。
【請求項３】
光学的に連続した画像を少なくとも１以上の撮像素子をその各撮像素子の水平方向をＮ（Ｎは分割数で２以上の整数）分割して撮像し複数のアナログ電気信号に変換する撮像ステップと、
前記撮像ステップから出力された複数のアナログ信号を複数のＡ／Ｄ変換素子で複数の並列デジタル信号に変換するＡ／Ｄ変換ステップと、
前記Ａ／Ｄ変換ステップから出力された複数の並列デジタル信号を同時に並列演算する複数のデジタル演算ステップと、
前記並列演算された複数の並列デジタル信号を駆動周波数の異なる複数の並列デジタル信号に変換する並列／並列変換ステップと、
前記並列／並列変換ステップから出力された複数の並列デジタル信号を複数の直列デジタル信号に変換する複数の並列／直列変換ステップと
を設けて、高解像度動画像信号の処理を行う高解像度動画像信号処理方法であって、
テレビジョン標準駆動周波数に対し、前記撮像ステップ及びＡ／Ｄ変換ステップでの駆動周波数は低く、垂直駆動周波数は同等としたことを特徴とする高解像度動画像信号処理方法。
【請求項４】
請求項１乃至請求項３の何れかに記載された高解像度動画像信号処理方法において、
前記各撮像素子はＨＤＴＶ画像の４倍の画素数を有するＣＭＯＳ撮像素子をその水平方向を８分割して使用して、前記高解像度動画像信号の処理を行うようにしたことを特徴とする高解像度動画像信号処理方法。
【請求項５】
動画像を撮像して高解像度信号処理を行う高解像度動画像信号処理装置において、
光学的に連続した画像を少なくとも１以上の撮像素子をその各撮像素子の水平方向をＮ（Ｎは分割数で２以上の整数）分割して撮像し複数のアナログ電気信号に変換する撮像装置と、
前記撮像装置から出力された複数のアナログ信号を複数のＡ／Ｄ変換素子で複数の並列デジタル信号に変換するＡ／Ｄ変換装置と、
前記Ａ／Ｄ変換装置から出力された複数の並列デジタル信号を同時に並列演算する複数のデジタル演算装置と、
前記並列演算された複数の並列デジタル信号を駆動周波数の異なる複数の並列デジタル信号に変換する並列／並列変換装置と、
前記並列／並列変換装置から出力された複数の並列デジタル信号を複数の直列デジタル信号に変換する複数の並列／直列変換装置と
を有して構成したことを特徴とする高解像度動画像信号処理装置。
【請求項６】
請求項５に記載された高解像度動画像信号処理装置において、
前記各撮像素子はＨＤＴＶ画像の４倍の画素数を有するＣＭＯＳ撮像素子をその水平方向を８分割して使用して、前記高解像度動画像信号の処理を行うようにしたことを特徴とする高解像度動画像信号処理装置。
【発明の詳細な説明】
【０００１】
【発明の属する技術分野】
本発明は、固体撮像装置を使用した高解像動画像信号処理方法（装置）に係り、特にＨＤＴＶ画像以上の画素数を有する撮像素子を用いた固体撮像信号処理方法（装置）における駆動周波数の設定法に関する。
【０００２】
【従来の技術】
従来のＨＤＴＶ画像の信号伝送方法（装置）の一例を、図４と共に以下に説明する。
図４に示される信号伝送方法のための信号処理系は、被写体１１１を撮像する撮像部１１０（レンズ１１２、プリズム（三色色分解部）１１３、撮像素子１１４）、各種補正器１１６、Ａ／Ｄ変換器１１７、色差変換器１１８、並列／直列変換器１１９、直列伝送路１２０、直列／並列変換器１２１、色差変換器１２２、Ｄ／Ａ変換器１２３、及び画像表示装置１２４より構成されている。
【０００３】
まず、被写体光像１１１をレンズ１１２とプリズム（三色色分解）１１３を介して撮像素子１１４に結像させる。
プリズム１１３では被写体光像１１１を三色色分解してＲ，Ｇ，Ｂに分解し、それぞれの色用の撮像素子１１４に送る。撮像素子１１４では、例えばＨＤＴＶ画像としての画素数１，９２０（Ｈ）×１，０８０（Ｖ）の素子が設定されている。
【０００４】
従って、撮像素子１１４は、テレビジョン標準規格に従ったテレビジョン標準駆動周波数としてクロック周波数７４．２５MHz、水平周波数３３．７５KHz、及び垂直周波数３０Ｈｚで駆動される。
この撮像素子１１４からは各駆動周波数に基づいたアナログ信号が出力される。
この撮像素子１１４から得られた信号に対して、輝度、コントラスト、ガンマ、ホワイトバランス、輪郭補正等の各種補正を各種補正装置１１６で行う。
【０００５】
このとき、撮像素子１１４に特有な固定ノイズ等があれば、これも各種補正装置１１６で除去される。例えば撮像素子１１４としてＣＣＤセンサーを用いる場合は、固定パターンノイズ、暗電流のばらつきノイズ等があり、目立たないようにこれを各種補正装置１１６で除去する。
【０００６】
つぎに、この各種補正装置１１６で補正されたアナログ信号をＡ／Ｄ変換装置１１７によって、例えば１０ｂｉｔの並列デジタル信号に変換する。
更に、つぎのＲＧＢ・ＹＰｂＰｒ色差変換装置１１８でＲ，Ｇ，Ｂの３色信号として扱ってきた撮像素子１１４からの被写体映像信号をＹ，Ｐｂ，Ｐｒの色差信号に変換する。
【０００７】
伝送する場合は、まず、
Ｙ：並列デジタル信号１０bit，７４．２５MHz、
色差信号（Pb，Prの合成）：並列デジタル信号１０bit，７４．２５MHz
の並列デジタル信号を１bit，１．５GHzの直列デジタル信号に並列／直列変換装置１１９で変換する。
このように１bit，１．５GHzの直列デジタル信号にすると一組の伝送ケーブルで信号を送ることが出来、並列デジタル信号１０bit＋１０bit＝２０bitのように２０組のケーブルで送らなくてもよい。
【０００８】
このようにして１．５GHzの一組の伝送ケーブルで構成される直列伝送路１２０を介して伝送された直列デジタル信号を受信側で受信し、直列／並列変換装置１２１によって並列デジタル信号に戻し、つぎのＹＰｂＰｒ・ＲＧＢ色差変換装置１２２でＹＰｂＰｒ色差信号からＲＧＢ信号に変換される。
【０００９】
変換されたＲＧＢ信号は、更にＤ／Ａ変換装置１２３でアナログ信号に変換されて画像表示装置１２４に表示される。
並列／直列変換装置１１９及び色差変換装置１２２については、既に標準化され、ＬＳＩも出まわっており、１．５ＧＨｚ、７４ＭＨｚの各駆動周波数については、問題ないのが現状である。
【００１０】
しかし、撮像素子１１４及び各種補正装置１１６については、未だ撮像素子１１４が十分解明されていないこともあり、並列デジタル信号のままで高い駆動周波数を使用して各種補正演算をすることは膨大な量の演算回路が必要となり、標準化も未だ行われていために、ＬＳＩ等も製作着手も困難で、Ａ／Ｄ変換する前の周波数の高いアナログ信号の状態のままで、個々の撮像素子の出力に応じて補正しているのが現状である。
【００１１】
【発明が解決しようとしている課題】
ところでこのように、輝度、コントラスト、ガンマ、ホワイトバランス、輪郭補正等の各種補正を各種補正器１１６により、周波数の高いアナログ信号のままで行う場合、微調整に長時間を必要とし、部分、部分で夫々補正した場合にその全体として均一の取れた性能を得ることは困難である。
特に図５に示されるように撮像素子１１４としてＣＣＤ撮像素子（センサー）を用いる場合、まず素子自体の駆動周波数を上げることは困難である。
【００１２】
すなわち、被写体光像を図５に示されるセンサーに結像させた後センサー内で電荷に変換する。このセンサーから被写体光像に比例した電荷をまず電荷転送部に転送し、更につぎの電荷転送部に順次転送した後で電気信号に変換する。
このために電荷転送に時間が掛かり過ぎて、高速化はまず困難であり、また転送数量を多くすると転送効率が下がり、信号劣化を生ずる。
【００１３】
従って、扱う画像を高解像度化するために、例えば、ＨＤＴＶ画像の４倍の画素数（３，８４０（Ｈ）×２，１６０（Ｖ）＝ ）８，２９４，４００個を有する画像を扱う場合、駆動周波数をＨＤＴＶ画像の４倍にして扱うことは転送効率を非常に低減させ、映像信号成分以外の雑音の混入も招き、性能の劣化を生じる。
このため、図５に示されるように、画像を上下二つに分けて転送数量を少なくするような工夫が必要であり、それだけ撮像素子の構成も煩雑となってしまう。しかし、それでも十分な性能を得ることは困難である。
【００１４】
また、高解像度画像を扱う場合、例えば図４に示されるような周波数の高いアナログ信号のまま各種補正を各種補正器１１６により行うことは、不安定要素が多く調整困難であり、出来るだけ低い周波数で各種補正を行うようにすることが課題となっていた。
【００１５】
そこで、本発明は上記課題を解決するため、撮像素子、Ａ／Ｄ変換、各種補正は低い周波数で駆動し、標準化されている機能はＨＤＴＶ画像用の周波数を用いることで、高解像度であっても、画像劣化のない、各種補正を十分行え良好な画質を得ることを目的とする。
【００１６】
【課題を解決するための手段】
上記の目的を達成するため、
請求項１の発明は、
光学的に連続した画像を一組の撮像素子でその撮像素子の水平方向をＮ（Ｎは分割数で２以上の整数）分割して撮像し複数のアナログ電気信号に変換する撮像ステップ１０と、
前記撮像ステップから出力された複数のアナログ信号を複数のＡ／Ｄ変換素子で複数の並列デジタル信号に変換するＡ／Ｄ変換ステップ１５と、
前記Ａ／Ｄ変換ステップから出力された複数の並列デジタル信号を同時に並列演算する複数のデジタル演算ステップ１６と、
前記並列演算された複数の並列デジタル信号を駆動周波数の異なる複数の並列デジタル信号に変換する並列／並列変換ステップ１７と、
前記並列／並列変換ステップから出力された複数の並列デジタル信号を複数の直列デジタル信号に変換する複数の並列／直列変換ステップ１９と
を設けて、高解像度動画像信号の処理を行い、前記撮像ステップ１０から出力されたアナログ信号が前記Ａ／Ｄ変換ステップ１５によりデジタル信号に変換されて前記デジタル演算ステップ１６に供給されるようにしたことを特徴とした高解像度動画像信号処理方法を提供し、
請求項２の発明は、
光学的に連続した画像を少なくとも１以上の撮像素子をその各撮像素子の水平方向をＮ（Ｎは分割数で２以上の整数）分割して撮像し複数のアナログ電気信号に変換する撮像ステップ１０と、
前記撮像ステップから出力された複数のアナログ信号を複数のＡ／Ｄ変換素子で複数の並列デジタル信号に変換するＡ／Ｄ変換ステップ１５と、
前記Ａ／Ｄ変換ステップから出力された複数の並列デジタル信号を同時に並列演算する複数のデジタル演算ステップ１６と、
前記並列演算された複数の並列デジタル信号を駆動周波数の異なる複数の並列デジタル信号に変換する並列／並列変換ステップ１７と、
前記並列／並列変換ステップから出力された複数の並列デジタル信号を複数の直列デジタル信号に変換する複数の並列／直列変換ステップ１９と
を設けて、高解像度動画像信号の処理を行う高解像度動画像信号処理方法であって、
前記撮像ステップ１０、Ａ／Ｄ変換ステップ１５、及び複数のデジタル演算ステップ１６の駆動周波数を、前記並列／並列変換ステップ１７、及び複数の並列／直列変換ステップ１９の駆動周波数より低くしたことを特徴とする高解像度動画像信号処理方法を提供し、
請求項３の発明は、
光学的に連続した画像を少なくとも１以上の撮像素子をその各撮像素子の水平方向をＮ（Ｎは分割数で２以上の整数）分割して撮像し複数のアナログ電気信号に変換する撮像ステップ１０と、
前記撮像ステップから出力された複数のアナログ信号を複数のＡ／Ｄ変換素子で複数の並列デジタル信号に変換するＡ／Ｄ変換ステップ１５と、
前記Ａ／Ｄ変換ステップから出力された複数の並列デジタル信号を同時に並列演算する複数のデジタル演算ステップ１６と、
前記並列演算された複数の並列デジタル信号を駆動周波数の異なる複数の並列デジタル信号に変換する並列／並列変換ステップ１７と、
前記並列／並列変換ステップから出力された複数の並列デジタル信号を複数の直列デジタル信号に変換する複数の並列／直列変換ステップ１９と
を設けて、高解像度動画像信号の処理を行う高解像度動画像信号処理方法であって、
テレビジョン標準駆動周波数に対し、前記撮像ステップ１０、及びＡ／Ｄ変換ステップ１５での駆動周波数は低く、垂直駆動周波数は同等としたことを特徴とする高解像度動画像信号処理方法を提供し、
請求項４の発明は、
請求項１乃至請求項３の何れかに記載された高解像度動画像信号処理方法において、
前記各撮像素子はＨＤＴＶ画像の４倍の画素数を有する撮像素子としてＣＭＯＳ撮像素子をその水平方向を８分割して使用して、前記高解像度動画像信号の処理を行うようにしたことを特徴とする高解像度動画像信号処理方法を提供し、
請求項５の発明は、
動画像を撮像して高解像度信号処理を行う高解像度動画像信号処理装置において、
光学的に連続した画像を少なくとも１以上の撮像素子をその各撮像素子の水平方向をＮ（Ｎは分割数で２以上の整数）分割して撮像し複数のアナログ電気信号に変換する撮像装置１０と、
前記撮像装置から出力された複数のアナログ信号を複数のＡ／Ｄ変換素子で複数の並列デジタル信号に変換するＡ／Ｄ変換装置１５と、
前記Ａ／Ｄ変換装置から出力された複数の並列デジタル信号を同時に並列演算する複数のデジタル演算装置１６と、
前記並列演算された複数の並列デジタル信号を駆動周波数の異なる複数の並列デジタル信号に変換する並列／並列変換装置１７と、
前記並列／並列変換装置から出力された複数の並列デジタル信号を複数の直列デジタル信号に変換する複数の並列／直列変換装置１９と
を有して構成したことを特徴とする高解像度動画像信号処理装置を提供し、
請求項６の発明は、
請求項５に記載された高解像度動画像信号処理装置において、
前記各撮像素子はＨＤＴＶ画像の４倍の画素数を有するＣＭＯＳ撮像素子をその水平方向を８分割して使用して、前記高解像度動画像信号の処理を行うようにしたことを特徴とする高解像度動画像信号処理装置を提供するものである。
【００１７】
【発明の実施の形態】
本発明の高解像度動画像信号処理方法の実施形態につき、好ましい一実施例により、以下に図と共に説明する。
図１に本発明の高解像度動画像信号処理方法の一実施例を、図２に本発明の高解像度動画像信号処理方法に利用される高解像度カメラ（高解像度動画像信号処理装置）の一実施例のブロック構成を、図３に本発明の高解像度動画像信号処理方法に用いられる撮像素子としてのＣＭＯＳ撮像素子（センサー）の信号転送の一実施例をそれぞれ示す。
【００１８】
図１に示される本発明の高解像度動画像信号処理方法の一実施例について、以下に説明する。
撮像装置１０はレンズ１２、プリズム（三色色分解部）１３、及び８分割撮像素子１４を有して構成されている。
撮像装置１０を構成するレンズ１２で被写体１１を撮像してプリズム１３でＲＧＢの３色に分解した後、被写体１１の各色光像を、例えばＨＤＴＶの４倍の解像度の８分割撮像素子１４に結像させる。
【００１９】
このＨＤＴＶの４倍の解像度を有する８分割撮像素子１４で被写体１１の光学像を電気信号に変換する。
この８分割撮像素子１４を動作させる駆動信号は、動画信号として用いる場合には３０Ｈｚの垂直駆動信号が必要である。
８分割撮像素子１４の画素数をＨＤＴＶ画像の４倍とすると、各画素の駆動周波数は垂直駆動信号を３０Ｈｚに固定すると、やはり４倍必要である。
【００２０】
しかしながら、テレビジョン標準規格に従ったテレビジョン標準駆動周波数としての例えばＨＤＴＶ画像の通常の駆動周波数は７４．２５MHzと高速であり、このテレビジョン標準駆動周波数７４．２５MHz の4倍の２９７MHzの高速周波数でＣＣＤ撮像素子を駆動させることは困難である。
しかし、３０Hzの垂直駆動周波数は動画の場合に最小限必要な周波数であり、これ以下にするとフリッカーが目立ち、動画の動きもぎこちなくなる。
【００２１】
そこで撮像素子１４をＣＭＯＳ撮像素子（センサー）とし、その水平方向を８分割して設定することにより、各画素の駆動周波数をテレビジョン標準規格の１／２倍の３７．１２５（＝７４．２５／２）MHzに減少させることが出来ることを見い出した。
この時の水平駆動周波数は３３．７５KHzの時の２倍の６７．５KHzになるが、垂直駆動周波数が３０Hzに保持されるため、動画の場合でも特に問題とはならない。
【００２２】
このように各画素の駆動周波数を従来の半分（３７．１２５MHz＝７４．２５MHz／２）にすれば、撮像素子１４の撮像、Ａ／Ｄ変換装置１５によるＡ／Ｄ変換、及びデジタル演算（各種補正）も夫々容易となり、従ってＡ／Ｄ変換装置１５の出力が供給される８並列各種補正装置１６での各種補正も、デジタル信号で扱え、均一な補正が出来るため、８分割しても各分割部分の補正は不均一とはならないことが判明した。
【００２３】
従って、撮像素子１４、Ａ／Ｄ変換装置１５でのＡ／Ｄ変換、各種補正装置１６での各種補正等の、標準化が確立されていない部分の駆動周波数を低減させることにより、駆動周波数が確実なより低い駆動周波数で動作させて用いることが出来る。
【００２４】
つぎに、各種補正装置１６の出力信号の８並列信号を、８並列／４並列変換装置１７により４つのＨＤＴＶ画像とした４並列信号に変換し、各画素の駆動周波数をＨＤＴＶ標準の７４．２５MHzに戻し、ついでＲＧＢから色差信号のYＰｂＰｒの４並列色差信号に４並列色差変換装置１８で変換する。
【００２５】
この色差信号を４並列／４直列変換装置１９で、デジタル並列信号からデジタル直列信号に変換する。
この時の各画像の駆動周波数は約１．５ＧＨｚとなる。このデジタル直列信号を伝送路２０に伝送して用いれば、伝送ケーブルが少なくて済み、取り扱いが容易になる。
【００２６】
ついで４直列伝送路２０で伝送されたデジタル直列信号を、４直列／４並列変換装置２１により再び７４．２５ＭＨｚ並列信号に戻す。
【００２７】
つぎの４並列色差変換装置２２で、前記４直列／４並列変換装置２１で戻された並列信号であるYＰｂＰｒ色差信号をＲＧＢ原色信号に戻す。
【００２８】
前記４並列色差変換装置２２によりYＰｂＰｒ色差信号から戻されたＲＧＢ原色信号を、つぎの４並列Ｄ／Ａ変換装置２３によりＤ／Ａ変換する。
前記４並列Ｄ／Ａ変換装置２３で変換されたアナログ信号を、４並列表示装置２４に加え表示する。
【００２９】
本発明の高解像度カメラ（高解像度動画像信号処理装置）の一実施例のブロック構成について、以下に図２と共に説明する。
撮像装置１０において被写体１１の光像を撮像して、８分割画像のアナログ信号に変換する。
【００３０】
この８分割画像信号はＡ／Ｄ変換装置１５に加えられてデジタル並列信号に変換される。
変換されたデジタル並列信号はつぎの補正装置１６において、８組の演算装置により各種補正が行われる。
【００３１】
前記補正装置１６において各種補正された８組のデジタル並列信号は、８並列／４並列変換装置１７により、ＨＤＴＶ駆動周波数に等しい４分割画像に変換される。
【００３２】
つぎの色差変換装置１８により、ＲＧＢ信号からYＰｂＰｒ信号に変換される。
このYＰｂＰｒ色差信号は、４並列／４直列変換装置１９により４直列信号に変換される。
【００３３】
この変換された信号を４直列伝送路２０を介して伝送した後、４直列／４並列変換装置２１により並列デジタル信号に変換した後、色差変換装置２２でYＰｂＰｒ信号からＲＧＢ信号に戻し、更に４並列Ｄ／Ａ変換装置２３により、アナログ信号に変換される。
この４並列Ｄ／Ａ変換装置２３によりアナログ信号に変換された信号をつぎの表示装置２４に加え表示する。
【００３４】
図３に本発明の高解像度動画像信号処理方法（装置）に用いられる撮像素子としてのＣＭＯＳ撮像素子（センサー）の信号転送の一実施例を示す。
図３に示されるＣＭＯＳ撮像素子の一実施例では水平垂直両方各センサー出力は電子回路による水平垂直スイッチで行われる。
【００３５】
このために非常に高速なスイッチの切替えが可能で、８分割画像時の３７．１２５ＭＨｚの駆動同周波数でも、Ｓ／Ｎの良好な信号が得られる。
Ｒｏｃｗｅｌｌ社のＭｏｄｅｌｌ-１８５５（１，２８０×１，０２４画素、１２ｂｉｔＡ／Ｄ）のＣＭＯＳ撮像素子では、１００ＭＨｚで動作することが確認されている。
【００３６】
これに対して、図５はよく知られているＣＣＤ撮像素子の一例で、センサーの電荷を一度に垂直電荷転送部に転送してから順次水平電荷転送部に転送し、水平電荷転送部から更に順次信号として電荷を取り出している。
このため、８分割画像時の駆動周波数３７．２５ＭＨｚではＳ／Ｎの良好な信号は得られず、撮像素子列を上下２つに分けて別々に転送することで更に半分の駆動周波数としなければならなかった。このため撮像素子の構成が煩雑で、実用化は困難である。
【００３７】
一般的に、ＣＣＤ撮像素子では、駆動周波数が２０ＭＨｚまでは比較的Ｓ／Ｎは良好であるがそれを越えると転送効率が下がり、信号が劣化することが知られている。
これに対して、本発明で使用されるＣＭＯＳ撮像素子は５０ＭＨｚまではほとんど変化がない。
ＣＣＤ撮像素子とＣＭＯＳ撮像素子の性能分岐点の駆動周波数は２５ＭＨｚである。
これをまとめて性能を比較して、下記の表１に示す。
【００３８】
【表１】
0003785924.tif 000002
【００３９】
よって、撮像素子に新たにＣＭＯＳ撮像素子を用い、水平方向に８分割することにより、垂直駆動周波数は下げずに画像駆動周波数を下げて、並列デジタル演算が容易に行えるような構成とすればよい。
【００４０】
このような低い駆動周波数での動作が出来る構成とすれば、デジタル状態での演算が可能となるため、８分割しても均一な演算が行えるから、固定パターンノイズ、暗電流、ガンマ、輝度、コントラスト、ホワイトバランス等の各種補正が簡単に均一に行える。
【００４１】
なお、撮像素子の水平分割はこれまで説明してきた分割数Ｎ＝８の分割に限定されるものではなく、プログレッシブ撮像を行う場合には、分割数Ｎ＝１６として１６分割して行うと都合がよく、その他に分割数Ｎは２以上の整数に設定して利用出来る。
【００４２】
【発明の効果】
以上説明したように、請求項１及び請求項５に記載された発明によれば、各種補正（ステップ）器による動画像を撮像した撮像素子の補正は、撮像（ステップ）装置から出力されたアナログ信号をＡ／Ｄ変換（ステップ）装置によりＡ／Ｄ変換したデジタル信号を供給して行われるので、微調整に時間も掛からず、分割した各部分で夫々補正を行った場合にも、その全体として均一の取れた性能を得ることが出来る。
【００４３】
また、請求項２に記載された発明によれば、記撮像ステップ、Ａ／Ｄ変換ステップ、及び複数のデジタル演算ステップの駆動周波数を並列／並列変換ステップ及び複数の並列／直列変換ステップの駆動周波数より低くしたので、撮像素子よりの信号の輝度、コントラスト、ガンマ、ホワイトバランス、輪郭補正等の各種補正を低速度のデジタル演算で行うことが出来る。
従って、ＨＤＴＶ以上の高解像度画像として画素数が増加しても、十分実用性のある動画像信号が得られる。
【００４４】
また、請求項３に記載された発明によれば、テレビジョン標準規格に従ったテレビジョン標準駆動周波数（例えば、ＨＤＴＶでは７４．２５MHz）に対し、前記撮像ステップ及びＡ／Ｄ変換ステップでの駆動周波数（３７．１２５MHz）は半分と低く、垂直駆動周波数は同等（３０Ｈｚ）とした（垂直駆動周波数を下げずに画像駆動周波数を下げた）ので、撮像素子よりの信号の輝度、コントラスト、ガンマ、ホワイトバランス、輪郭補正等の各種補正を低速度のデジタル演算で行うことが出来、さらに静止画像のみならず動画像を撮像する場合にも問題なく対応することが出来る。
【００４５】
また、請求項４及びに請求項6に記載された発明によれば、各撮像素子としてＨＤＴＶ画像の４倍の画素数を有するＣＭＯＳ撮像素子（センサー）をその水平方向を８分割して用いることにより、ＨＤＴＶ画像を超えた超高精細画像情報を撮像することが可能となる。
【図面の簡単な説明】
【図１】本発明の高解像度動画像信号（ＨＤＴＶ画像の４倍の画素数を有する撮像素子の信号）処理方法の一実施例を示した図である。
【図２】本発明の高解像度動画像信号処理に利用される高解像度カメラ（高解像度動画像信号処理装置）の一実施例のブロック構成を示した図である。
【図３】本発明の高解像度動画像信号処理方法（装置）に用いられる撮像素子としてのＣＭＯＳ撮像素子（センサー）の信号転送の一実施例を示した図である。
【図４】従来のＨＤＴＶ画像の信号伝送方法の一例を示した図である。
【図５】従来のＣＣＤセンサーの信号の転送の一例を示した図である。
【符号の説明】
１０  撮像装置（ステップ）
１１  被写体
１２  レンズ（撮像装置（ステップ））
１３  プリズム（三色色分解部、撮像装置（三色色分解ステップ））
１４  ８分割撮像素子（ＣＭＯＳ撮像素子、撮像装置（ステップ））
１５  Ａ／Ｄ変換装置（ステップ）
１６  各種補正装置（ステップ）
１７  ８並列／４並列変換装置（ステップ）
１８  ４並列色差変換装置（ステップ）
１９  ４並列／４直列変換装置（ステップ）
２０  ４直列伝送路（伝送）
２１  ４直列／４並列変換装置（ステップ）
２２  ４並列色差変換装置（ステップ）
２３  Ｄ／Ａ変換装置（ステップ）
２４  ４並列画像表示装置（ステップ）
【図１】
0003785924.tif 000003
【図２】
0003785924.tif 000004
【図３】
0003785924.tif 000005
【図４】
0003785924.tif 000006
【図５】
0003785924.tif 000007